(57)【要約】【課題】従来のネダレス工法用部材は、仕上げ材を必要としたり、断熱材を必要としたり、単独での利用ではその性能に限りがあった。ネダレス工法の狙う施工の簡略化、コストダウンについてはこれでは十分とはいえない。【解決手段】本発明では紙製のペーパーコア、木材を積層することにより高い断熱性能、たわみ性能・耐圧強度を実現し、ネダレス工法の狙う施工の簡略化・省力化、および部材の省略によるコストダウンを高い水準で実現する。【選択図】図３
2004285808.tif 000002
【特許請求の範囲】
【請求項１】
木板材で紙製のペーパーコアの開口部両面を接着剤を用いて接着して挟み込むとともに、ペーパーコア開口部以外の小口を桟木で密閉し、たわみ性能・耐圧強度、断熱性能を高く、また製造および廃棄時に環境負荷の少ない住宅用建材として利用できる木板材と紙製ペーパーコアを用いた積層パネル。
【請求項２】
木板材と紙製のペーパーコアは複数層で構成されることを特徴とする請求項１の木板材と紙製ペーパーコアを用いた積層パネル。
【請求項３】
積層する木板材の厚さや材種、紙製のペーパーコアの厚さを調節することにより断熱性能、耐圧強度を調整できることを特徴とする請求項１及び請求項２に記載の木板材と紙製ペーパーコアを用いた積層パネル。
【請求項４】
上記木板材は無垢木材および構造用合板であることを特徴とする請求項１及び請求項２、請求項３に記載の木板材と紙製ペーパーコアを用いた積層パネル。
【請求項５】
ネダレス工法に利用できるたわみ性能・耐圧強度を持つことを特徴とする請求項１及び請求項２、請求項３及び請求項４に記載の木板材と紙製ペーパーコアを用いた積層パネル。
【請求項６】
上記積層パネル単独で床を仕上げ材として利用できる特徴を持つ請求項１及び請求項２、請求項３及び請求項４、請求項５に記載の木材と紙製ペーパーコアを用いた積層パネル。
【請求項７】
上記積層パネルの小口４辺に設けた桟木は隣り合う２辺を凹部と凸部が形成された実加工が施されている構成にしたことを特徴とする請求項１及び請求項２、請求項３及び請求項４、請求項５、請求項６に記載の木板材と紙製ペーパーコアを用いた積層パネル。
【発明の詳細な説明】
【０００１】
【発明の属する技術分野】
本発明は、住宅用床材および壁材等の建築用建材に係わり、断熱性能、たわみ性能・耐圧強度及び環境負荷の少ない優れた床材及び壁材に関するものである。
【０００２】
【従来の技術】
従来の住宅施工では、梁の上に設けられた根太の上に下地材として捨て張りが張られ、その上にフローリングなどの仕上げ材が施されている。また、床の断熱性能を高めるために発泡ウレタン系などの断熱材を施すことにより、床面の断熱性が保たれている。
【０００３】
これらの施工方法は、下地材や捨て張り、根太、仕上げ材、断熱材など複数の材料と複雑な施工方法を要することとなり、コストアップに反映されている。こうした状況を打開するために、施工の簡略化、材料の縮小を狙った根太構成を有しない所謂ネダレス工法が近年広がりつつあるが、根太を省くための耐圧強度の高い下地材が開発されるに留まっている。また、こうした工法を用いても、断熱性能まではクリアされておらず、断熱材が使用されているのが現状である。
【０００４】
断熱材の施工は、発泡ウレタンそのものが本来持つ断熱性能を生かすためには均一な施工が施されるべきであるが、施工現場や施工者などによりまちまちな施工が行われ、場合によってはその性能が生かされないままであるにも拘わらず、施主に対しては、恰も断熱材を用いた断熱性能の高い住宅として認識されて引き渡されているのが現状である。
【０００５】
また、高い断熱性能を持つことから、住宅用断熱材として多く利用されている発泡ウレタンは、その製造時に多くの二酸化炭素を排出するとともに、廃棄時には有害物質を排出する環境負荷の非常に高い製品である。例えば特開平９−２７９７１６号公報、特開平７−８２８７２号公報などはパネル内部に化学物質が充填もしくは被着されており、廃棄時の心配がないとは一概に言えない課題を有するものである。
【０００６】
【発明が解決しようとする課題】
前述の通り、従来の住宅施工においてひとつの部材では、完結することのできなかった断熱性能、たわみ・耐圧性能、施工の簡略化、環境負荷の低減、コストダウン等の課題を本発明により解決するものである。
【０００７】
【課題を解決するための手段】
本発明は、木板材で紙製のペーパーコアの開口部両面を接着剤を用いて接着して挟み込むとともに、ペーパーコア開口部以外の小口を桟木で密閉し、たわみ性能・耐圧強度が高くネダレス工法に利用可能である。また断熱性能を高く、発泡ウレタン系の断熱材の使用を必要とせず製造および廃棄時に環境負荷の少ない住宅用床材として利用できる。
【０００８】
木板材と紙製のペーパーコアは複数層で構成され、積層する木板材の厚さや材種、紙製のペーパーコアの厚さを用途に応じて、択一的に変更して調節することにより断熱性能、耐圧強度を調整できる。
【０００９】
これにより、ペーパーコアが耐圧強度に優れているうえ、ペーパーコアを挟む木板材が面で力を受け、受けた力を分散するため、併せてさらに高い耐圧性能を実現する。そのため、高いたわみ性能の要求されるネダレス工法においても利用が可能となる。
【００１０】
また、断熱性能に関しては、木材に挟み込まれたペーパーコアが多くの空気層を持ち、この空気層が高い断熱性能を発揮することになる。ペーパーコア、空気層の体積量を調節することにより、用途、利用場所などに応じて調整することが可能である。そのため、従来断熱性能を保つために利用されていた断熱材の利用が必要なくなり、コストダウン、施工の簡略化、環境負荷の軽減につなげることが可能となる。
【００１１】
また、ペーパーコアを挟み込む木板材には構造用合板だけでなく、無垢木材も利用可能であり、上記を用いることにより、仕上げ材と構造材を当積層パネルのみで実現する。これは、施工の簡略化・省力化、材料の省略となり、コストダウンにつながるものとなる。
【００１２】
本発明の積層パネルは有機質のものばかりで構成されるため、廃棄時に有害物質の発生がなく、環境への負荷を軽減できる。
【００１３】
また、本発明の積層パネルの小口に設ける桟木に、接続用の凹部と凸部を形成するよう予め実加工を施すことにより、施工現場での作業は敷き込み作業だけとなり、施工の簡略化、省力化を実現する。
【００１４】
【発明の実施の形態】
以下、本発明の実施の形態を図１〜図６に基づいて説明する。図面の符号１および２は、木材で構成される平板状の木板材であり無垢木材もしくは構造用合板である。そして図面の実施形態では木板材１を表板として使用し、木板材２を裏板と使用している。また、これらの木板材１および２は一枚板状若しくは短冊状の板材を連接して一枚状に構成してなるものである。
【００１５】
３は紙製のペーパーコアであり、短冊状に構成された直線状の木質薄板部材３１の両側に、該薄板部材３１と同形状の短冊紙３２が貼り付けられ各短冊紙３２同士が紙製の繋ぎ部材３３で拡縮自在に連接されて空気室３４が構成されたハニカムコア構造に形成されている。従って心材となる多数の木質薄板部材３１が、近接した状態で並設されるが故に縦リブの役目となって上下の木板材１および２の間に介在されることになり強度が強いものとなる。またペーパーコア３の厚さＨを代えることにより空気層の体積量を調整し、断熱性能を調整することができる。空気層の体積量を多くすれば断熱性能が高くなり、少なくすれば断熱性能が下がる。また、ペーパーコア３の厚さＨを代えることにより耐圧性能の調整も可能で、厚くすれば耐圧性能が低くなり、薄くすることにより耐圧性能が高まる。
【００１６】
４および５は木材を使った桟木であり、パネルＰの小口を密閉するために木板材１および２の間に介在されて接着されて用いるとともに、小口４辺に設けた桟木４および５には隣り合う２辺を連続として、隣接するパネルＰを接続するための雌雄の実加工として凸部４１および凹部５１が施してあり、これらにより積層パネルＰが構成されている。そして隣接するパネルＰ同士の凸部４１と凹部５１を嵌合させることによりパネルＰとパネルＰの接合を容易にして敷き込み作業を迅速にする。
【００１７】
上記の木板材１および２と、ペーパーコア３はそれぞれ接着剤を用いて接着して密閉する。そして上記の桟木４および５の付設構造により非常に剛性強度の高いものとなり建築壁材の床材として応用した場合には根太を省略したレダレス構造を採用することが可能となる。
【００１８】
木板材１および２と、ペーパーコア３，桟木４および５で構成される積層パネルを大引きに直接敷き込み、より強度を出すため釘でもむようにしても良い。
【００１９】
積層パネルの基本構成を木板材１および２と、ペーパーコア３，桟木４および５とし断熱性能を高めるため、また耐圧性能を高めるためこれらのパネルを２枚とか３枚とか積み重ねるようにした複数の積層パネルとすることも可能である。このように複数の積層パネルとして用いると更に強度が増大するものである。
【００２０】
環境負荷の軽減を考慮し、木板材１および２と、ペーパーコア３，桟木４および５の各部材とも有機質のものを用いる。
【００２１】
【発明の効果】
前述したように、本発明の積層パネルは木板材と紙製のペーパーコアの複数層で横成することにより、高いたわみ性能・耐圧性能を有し、ネダレス工法における床材としての利用が可能である。平板状の無垢木材をハニカムアを挟み込む材に用いることにより、仕上げ材としての利用も可能となり、桟木に施された凹凸の実加工と併せて施工の簡略化、単純化を実現する。
【００２２】
また、ペーパーコアの持つ空気層の効果により断熱性能の高い積層パネルとなる。そのため、従来断熱材として多く利用されている発泡ウレタンの利用軽減を実現し、環境負荷の軽減につなげることができる。
【００２３】
上記により、施工の簡略化・単純化、部材の省力化がはかられ、トータルコストの低減を可能にする効果を奏するものである。
【図面の簡単な説明】
【図１】本発明の積層パネルの斜視図である。
【図２】本発明の積層パネルの平面図である。
【図３】本発明の積層パネルの要部を破断して示す斜視図である。
【図４】本発明の積層パネルの断面図である。
【図５】本発明のペーパーコアの要部平面図である。
【図６】本発明の積層パネルの敷設説明図である。
【図７】本発明の積層パネルを敷設する接続説明図である。
【符号の説明】
１  紙製のペーパーコアを挟み込む木板材（表板）
２  紙製のペーパーコアを挟み込む木板材（裏板）
３  紙製のペーパーコア（ハニカムコア）
４  実加工を施した桟木（凸部付き）
５  実加工を施した桟木（凹部付き）
【図１】
2004285808.tif 000003
【図２】
2004285808.tif 000004
【図３】
2004285808.tif 000005
【図４】
2004285808.tif 000006
【図５】
2004285808.tif 000007
【図６】
2004285808.tif 000008
【図７】
2004285808.tif 000009